(57)【要約】【課題】作業者の負担を軽減できる農作業機を提供する。【解決手段】農作業機１は、トラクタの後部に連結する機体２と、耕耘作業をする耕耘体と、この耕耘体の後方で整地作業する整地体４とを備える。農作業機１は、付勢体の付勢力を利用して作業者の人力による整地体４の持ち上げをアシストする持上アシスト手段８を備える。持上アシスト手段８は、機体２側の端部である前端部が機体２側に取り付けている。【選択図】図１
2020028309.tif 000002
【特許請求の範囲】
【請求項１】
走行車に連結される機体と、
この機体に設けられ、耕耘作業をする耕耘体と、
この耕耘体の後方で整地作業する整地体と、
持上アシスト用の付勢体を有し、この付勢体の付勢力を利用して作業者の人力による前記整地体の持ち上げをアシストする持上アシスト手段とを備え、
前記持上アシスト手段は、前記機体側の端部が前記機体側に取り付けられている
ことを特徴とする農作業機。
【請求項２】
持上アシスト手段は、操作部材の操作によりアシストオフ状態およびアシストオン状態に切換可能となっている
ことを特徴とする請求項１記載の農作業機。
【請求項３】
付勢体の少なくとも一部は、持上アシスト手段内に収納されている
ことを特徴とする請求項１または２記載の農作業機。
【請求項４】
付勢体は、ガススプリングである
ことを特徴とする請求項１ないし３のいずれか一記載の農作業機。
【請求項５】
持上アシスト手段の機体側の端部は、前記機体のフレームに設けられた取付部に取り付けられている
ことを特徴とする請求項１ないし４のいずれか一記載の農作業機。
【請求項６】
持上アシスト手段は、上下方向に回動可能な長尺体を有し、
前記長尺体の前端部は、機体側に回動可能に取り付けられている
ことを特徴とする請求項１ないし５のいずれか一記載の農作業機。
【発明の詳細な説明】
【技術分野】
【０００１】
本発明は、作業者の負担を軽減できる農作業機に関するものである。
【背景技術】
【０００２】
従来、例えば下記の特許文献１に記載された農作業機が知られている。
【０００３】
この従来の農作業機は、トラクタ等の走行車に連結される機体と、この機体に回転可能に設けられ回転しながら耕耘作業をする耕耘体と、機体に上下方向に回動可能に設けられ耕耘体の後方で整地作業する整地体と、この整地体を最上げ位置にロックするストッパ装置とを備えている。
【先行技術文献】
【特許文献】
【０００４】
【特許文献１】特開２００５−２１８３１６号公報
【発明の概要】
【発明が解決しようとする課題】
【０００５】
しかしながら、上記従来の農作業機では、例えば耕耘体の爪交換や整地体の洗浄等のメンテナンスを行う際に、作業者は、比較的重い整地体を持ち上げる必要があり、この整地体の持ち上げに手間取るおそれがある。
【０００６】
本発明は、このような点に鑑みなされたもので、作業者の負担を軽減できる農作業機を提供することを目的とする。
【課題を解決するための手段】
【０００７】
請求項１記載の農作業機は、走行車に連結される機体と、この機体に設けられ、耕耘作業をする耕耘体と、この耕耘体の後方で整地作業する整地体と、持上アシスト用の付勢体を有し、この付勢体の付勢力を利用して作業者の人力による前記整地体の持ち上げをアシストする持上アシスト手段とを備え、前記持上アシスト手段は、前記機体側の端部が前記機体側に取り付けられているものである。
【０００８】
請求項２記載の農作業機は、請求項１記載の農作業機において、持上アシスト手段は、操作部材の操作によりアシストオフ状態およびアシストオン状態に切換可能となっているものである。
【０００９】
請求項３記載の農作業機は、請求項１または２記載の農作業機において、付勢体の少なくとも一部は、持上アシスト手段内に収納されているものである。
【００１０】
請求項４記載の農作業機は、請求項１ないし３のいずれか一記載の農作業機において、付勢体は、ガススプリングであるものである。
【００１１】
請求項５記載の農作業機は、請求項１ないし４のいずれか一記載の農作業機において、持上アシスト手段の機体側の端部は、前記機体のフレームに設けられた取付部に取り付けられているものである。
【００１２】
請求項６記載の農作業機は、請求項１ないし５のいずれか一記載の農作業機において、持上アシスト手段は、上下方向に回動可能な長尺体を有し、前記長尺体の前端部は、機体側に回動可能に取り付けられているものである。
【発明の効果】
【００１３】
本発明によれば、持上アシスト手段が整地体の持ち上げをアシストするため、作業者の負担を軽減できる。
【図面の簡単な説明】
【００１４】
【図１】本発明の第１の実施の形態に係る農作業機の平面図である。
【図２】同上農作業機の斜視図である。
【図３】同上農作業機の整地体最上げ時（メンテナンス時）の斜視図である。
【図４】同上農作業機のアシストオフ時の側面図である。
【図５】同上農作業機のアシストオフ時の側面図である。
【図６】同上農作業機のアシストオン時の側面図である。
【図７】同上農作業機のアシストオン時の側面図である。
【図８】同上農作業機の持上アシスト手段（アシストオフ状態）の正面図である。
【図９】同上持上アシスト手段の長尺体の側面図である。
【図１０】同上持上アシスト手段の付勢体の正面図である。
【図１１】同上持上アシスト手段の移動体の正面図である。
【図１２】同上持上アシスト手段の回動体の側面図である。
【図１３】本発明の第２の実施の形態に係る農作業機の持上アシスト手段（アシストオフ状態）の正面図である。
【図１４】同上持上アシスト手段（アシストオフ状態）の側面図である。
【図１５】同上持上アシスト手段（アシストオン状態）の正面図である。
【図１６】同上持上アシスト手段の長尺体の正面図である。
【図１７】同上持上アシスト手段の長尺体の側面図である。
【図１８】同上持上アシスト手段の移動体の正面図である。
【図１９】同上持上アシスト手段の移動体の側面図である。
【図２０】同上持上アシスト手段の移動体の底面図である。
【図２１】同上持上アシスト手段の回動体の正面図である。
【図２２】同上持上アシスト手段の回動体の側面図である。
【図２３】同上持上アシスト手段の回動体の底面図である。
【図２４】本発明の第３の実施の形態に係る農作業機のアシストオフ時の側面図である。
【図２５】同上農作業機のアシストオフ時の側面図である。
【図２６】同上農作業機のアシストオン時の側面図である。
【図２７】同上農作業機のアシストオン時の側面図である。
【図２８】同上農作業機の持上アシスト手段（アシストオフ状態）の正面図である。
【図２９】（ａ）は図２８のａ矢視図、（ｂ）はその部分拡大部である。
【図３０】図２９のｂ矢視図である。
【図３１】同上持上アシスト手段の動作図である。
【図３２】同上持上アシスト手段の分解正面図である。
【図３３】同上持上アシスト手段の分解側面図である。
【図３４】本発明の第４の実施の形態に係る農作業機の平面図である。
【発明を実施するための形態】
【００１５】
本発明の第１の実施の形態について図１ないし図１２を参照して説明する。
【００１６】
図中の１は農作業機で、この農作業機１は、例えば走行車であるトラクタ（図示せず）の後部に連結され、そのトラクタの走行により圃場上を前方（進行方向）に移動しながら耕耘整地作業（農作業）を行うものである。
【００１７】
農作業機１は、トラクタの後部の３点リンク部（農作業機昇降部）に脱着可能に連結される機体２と、この機体２に回転可能に設けられ所定方向に回転しながら耕耘作業をする耕耘体（ロータリー）３と、機体２に左右方向の軸（回動支点）５を中心として上下方向に回動可能に設けられ耕耘体３の後方で整地作業する板状の整地体（均平板）４とを備えている。
【００１８】
また、農作業機１は、耕耘体３や整地体４等のメンテナンス時に作業者の人力による整地体４の持ち上げ（上方回動）をアシストする持上アシスト手段８を備えている。持上アシスト手段８は、例えば１本で、農作業機１の一方側である左側の位置において機体２と整地体４との間に設けられている。
【００１９】
さらに、農作業機１は、圃場状態に対応するように整地体４の圃場面に対する接地圧を調整する接地圧調整手段９を備えている。接地圧調整手段９は、例えば１本で、農作業機１の他方側である右側の位置において機体２と整地体４との間に設けられている。
【００２０】
機体２は、トラクタの後部の３点リンク部に脱着可能に連結される３点連結部（走行車連結部）11を有している。３点連結部11は、１本のトップマスト12と、このトップマスト12に取り付けられたトップピン13と、左右１対で２本のロワーアーム14と、この各ロワーアーム14に取り付けられたロワピン15とにて構成されている。
【００２１】
また、機体２は、入力軸16を回転可能に保持する軸保持部であるミッションケース部17を有し、このミッションケース部17の左右両側にはフレームパイプ部18の内端部が取り付けられている。なお、入力軸16は、トラクタのＰＴＯ軸にジョイント（図示せず）を介して接続される。
【００２２】
左側のフレームパイプ部18の外端部には、箱状の耕耘体支持部であるチェーンケース部19が取り付けられている。右側のフレームパイプ部18の外端部には、板状の耕耘体支持部であるブラケット部20が取り付けられている。これら互いに離間対向するチェーンケース部19およびブラケット部20にて、耕耘体３が回転可能に支持されている。なお、チェーンケース部19およびブラケット部20には、サイドカバー板10が後方に向かって突設されている。
【００２３】
さらに、機体２は、耕耘体３の上方部を覆う上方へ凸の湾曲板状の耕耘カバー部21を有している。耕耘カバー部21の後端部には、複数、例えば３つの蝶番22を介して、整地体４が左右方向の軸５を中心として上下方向に回動可能に取り付けられている。なお、機体２の前側には、ゲージ輪30が上下位置調整に設けられている。
【００２４】
耕耘体３は、チェーンケース部19の下部およびブラケット部20の下部間に回転可能に架設された左右方向の耕耘軸23を有している。つまり、耕耘軸23の軸方向一端部である左端部がチェーンケース部19の下部にて回転可能に支持され、かつ、耕耘軸23の軸方向他端部である右端部がブラケット部20の下部にて回転可能に支持されている。
【００２５】
そして、耕耘軸23は、入力軸16側からの動力を耕耘体３まで伝達する動力伝達手段（図示せず）から動力を受けて所定方向に回転する。なお、動力伝達手段は、ミッションケース部17内のギヤ、フレームパイプ部18内のシャフトおよびチェーンケース部19内のチェーン等にて構成されている。
【００２６】
また、耕耘軸23の軸方向に間隔をおいた複数個所には、この耕耘軸23と一体となって所定方向に回転しながら耕耘作業をする耕耘爪24が脱着可能に取り付けられている。各耕耘爪24の回転方向前側には刃部25が形成されている。
【００２７】
整地体４は、耕耘カバー部21の後端部に前端側の軸５を中心として後端側が昇降するように上下方向に回動可能に取り付けられた左右方向長手状で略矩形板状の整地本体板26を有している。整地本体板26の左右方向両端部には、整地側板27が固着されている。
【００２８】
また、整地本体板26の背面（耕耘体３と対向する側とは反対側の面）の左側には、互いに離間対向する左右１対の突出板28が突設されている。同様に、整地本体板26の背面の右側には、互いに離間対向する左右１対の突出板29が突設されている。
【００２９】
持上アシスト手段８は、例えば伸縮可能なコイル状の付勢体である圧縮バネ31の付勢力を利用して整地体４を上方側に付勢することによって、整地体４の持ち上げ、つまり機体２に対する整地体４の上方回動をアシストするものである。
【００３０】
そして、持上アシスト手段８は、圧縮バネ31が整地体４を上方側に付勢するアシストオン状態（作用状態）および圧縮バネ31が整地体４を上方側に付勢しないアシストオフ状態（非作用状態）に選択的に切換可能となっている。すなわち例えば、持上アシスト手段８は、着脱部材である着脱ピン32の取り付けによってアシストオフ状態となり、着脱ピン32の取り外しによってアシストオン状態となる。
【００３１】
ここで、持上アシスト手段８は、着脱ピン32が着脱される孔部35を長手方向中間部に有する前後方向長手状の長尺体（ロッド）36を有している。長尺体36は、機体２に左右方向の軸37を中心として上下方向に回動可能に設けられている。つまり、機体２の左側のフレームパイプ部18には取付部33が突設され、この取付部33に長尺体36の前端部が軸37を介して回動可能に取り付けられている。
【００３２】
長尺体36は、前後方向に長手方向を有する細長い円筒状（略円筒状を含む）のものである。長尺体36の前端部には軸用孔部38が形成され、この軸用孔部38と取付部33の孔部分とに軸37が挿入され、この挿入された軸37を中心として長尺体36が機体２に対して回動可能となっている。また、長尺体36の後端部にはピン用孔部39が形成され、このピン用孔部39にはバネ受け部材であるバネ受けピン（Ｒピン）40が脱着可能に取り付けられている。さらに、長尺体36の前後方向中間部である前後方向中央部にはピン用孔部である孔部35が形成され、この孔部35に対して着脱ピン（Ｒピン）32が着脱（挿入出）されるようになっている。
【００３３】
また、持上アシスト手段８は、挿通孔部42を有する筒状の回動体（タンブラ）41を有している。回動体41は、整地体４の突出板28の上部に回動可能に設けられている。
【００３４】
回動体41は、挿通孔部42が形成された円筒状の筒状部43と、この筒状部43の両側に外側方に向かって突設された左右方向の丸軸状の軸状部44とにて構成され、この各軸状部44が突出板28の取付孔部28aに回動可能に取り付けられている。
【００３５】
さらに、持上アシスト手段８は、回動体41の挿通孔部42に挿通され長尺体36に対して移動可能（例えばスライド移動可能）で圧縮バネ31を覆う筒状の移動体（バネケース）46を有している。移動体46は、長尺体36の外周側にこの長尺体36の外周面に沿って前後方向にスライド移動可能に配設されている。
【００３６】
移動体46は、長尺体36よりも短い長さの前後方向長手状で円筒状をなす本体筒部47を有している。本体筒部47の前端部の内周側には、円形環状のバネ受け部48が固設されている。本体筒部47の後端部近傍の外周側には、アシストオン状態時に圧縮バネ31の付勢力に基づいて回動体41を押し上げる円形環状の回動体当接部である鍔部49が固設されている。
【００３７】
そして、移動体46の本体筒部47の外周側には、回動体41がその本体筒部47の外周面に沿って前後方向にスライド移動可能に配設されている。つまり、回動体41は、アシストオフ状態時に整地体４の上下回動に応じて移動体46の本体筒部47の外周面に沿って前後方向にスライド移動する。
【００３８】
また、移動体46の本体筒部47の内周側と長尺体36の外周側との間には、移動体46を前方側に向けて付勢する持上アシスト用の弾性変形可能な弾性体である圧縮バネ31が圧縮された状態で配設されている。この圧縮バネ31は、前端部31aが移動体46のバネ受け部48に当接しかつ後端部31bがバネ受けピン40に当接している（図８参照）。
【００３９】
接地圧調整手段９は、スプリングエンド51のピン（図示せず）が着脱される複数の孔部52およびストッパ装置53のストッパピン54が着脱される１つのストッパピン用孔部（図示せず）を有する連結ロッド55を有している。
【００４０】
連結ロッド55は、機体２に左右方向の軸56を中心として上下方向に回動可能に設けられている。つまり、機体２の右側のフレームパイプ部18には取付部33が突設され、この取付部33に連結ロッド55の前端部が軸56を介して回動可能に取り付けられている。
【００４１】
また、連結ロッド55の外周側には、接地圧調整用の第１コイルバネ58および第２コイルバネ59がそれぞれ配設されている。さらに、連結ロッド55は、整地体４の突出板29の上部に回動可能に取り付けられた筒状のロッド被挿通体（タンブラ）60に挿通されている。
【００４２】
そして、図３に示すように、例えばメンテナンス時等において、整地体４を軸５を中心として上方に回動させることによって最上げ位置（メンテナンス位置）まで持ち上げると、ストッパ装置53のストッパピン54が連結ロッド55のストッパピン用孔部に自動的に挿入され、その結果、整地体４が最上げ位置に位置決め固定される。
【００４３】
このようにして、整地体４は、ロック手段であるストッパ装置53によって最上げ位置に自動的にロックされる。なお、整地体４を下ろす場合には、ストッパ装置53のレバーを操作してストッパピン54をストッパピン用孔部から挿出させる。
【００４４】
次に、農作業機１の作用等を説明する。
【００４５】
トラクタに連結した農作業機１を用いて、農作業である耕耘整地作業をする作業時には、作業者は、着脱ピン32を長尺体36の孔部35に取り付けることによって、持上アシスト手段８をアシストオフ状態に設定する。
【００４６】
そして、作業者がトラクタに乗り、トラクタの走行により農作業機１を進行方向に移動させると、耕耘体３が耕耘作業をし、その後方で整地体４が整地作業をする。
【００４７】
このとき、移動体46の前端部が着脱ピン32に当接することでこの着脱ピン32にて長尺体36に対する移動体46の前方移動が規制（つまり圧縮バネ31の伸びが規制）されているため、回動体41は、整地体４の上下回動に応じて、移動体46に対して前後方向にスライド移動する（図５参照）。
【００４８】
つまり、回動体41が移動体46の外周面に沿って前後方向にスライド移動することによって、整地体４が機体２に対して軸５を中心として上下方向に回動する。
【００４９】
また一方、例えば耕耘爪24の交換や整地体４の洗浄等のメンテナンス時には、作業者は、着脱ピン32を長尺体36の孔部35から取り外すことによって、持上アシスト手段８をアシストオン状態に設定する。
【００５０】
すると、長尺体36に対する移動体46の前方移動が許容（つまり圧縮バネ31の伸びが許容）されることとなり、移動体46が鍔部49に当接した回動体41とともに長尺体36に対して圧縮バネ31の付勢力に基づいて前方へ移動し、その結果、整地体４が圧縮バネ31の付勢力に基づいて上方へ回動する（図７参照）。
【００５１】
そして、作業者が整地体４を最上げ位置まで軽い人力で持ち上げると、ストッパ装置53によって整地体４がその最上げ位置に自動的にロックされる（図３参照）。
【００５２】
この図示する例では、整地体４は、圧縮バネ31の付勢力（弾性復元力）のみによって最上げ位置まで上方回動しないため、作業者が最上げ位置まで人力で少し持ち上げる必要があるが、この際、圧縮バネ31は、自由長（最大長さ）にはなっておらず、整地体４を上方側へ付勢しているため、作業者は、軽い人力で整地体４を最上げ位置まで持ち上げることが可能である。
【００５３】
そして、このような農作業機１によれば、メンテナンス時等に持上アシスト手段８をアシストオン状態に切り換えると、このアシストオン状態の持上アシスト手段８が整地体４の持ち上げをアシストするため、作業者は整地体４を最上げ位置まで容易に持ち上げることができ、作業者の負担を軽減できる。
【００５４】
また、持上アシスト手段８の構成が簡単であるばかりでなく、着脱ピン32の取り付けのみによって持上アシスト手段８をアシストオフ状態に容易に切り換えることができ、着脱ピン32の取り外しのみによって持上アシスト手段８をアシストオン状態に容易に切り換えることができる。つまり、着脱ピン32の抜き差し（ワンアクション）のみで、持上アシスト手段８のオンオフを容易に切り換えることができる。
【００５５】
さらに、持上アシスト手段８のアシストオフ状態時には、着脱ピン32にて長尺体36に対する移動体46の移動が規制され、この規制された移動体46に対して回動体41が整地体４の動きに応じて移動するため、持上アシスト手段８が整地体４による整地作業に悪影響を及ぼすことがない。
【００５６】
また、持上アシスト手段８のアシストオン状態時には、長尺体36に対する移動体46の移動が許容され、長尺体36に対して移動体46が回動体41とともに圧縮バネ31の付勢力に基づいて移動するため、圧縮バネ31の付勢力を利用して整地体４の持ち上げを適切にアシストできる。
【００５７】
さらに、付勢体である圧縮バネ31は、持上アシスト手段８のアシストオフ状態時には筒状の移動体46内に収納され、この圧縮バネ31の全体（略全体）が移動体46によって覆われるため、作業時に泥土等が圧縮バネ31に付着するのを防止できる。
【００５８】
なお、農作業機１の持上アシスト手段８は、例えば図１３ないし図２３に示す第２の実施の形態のように、伸縮可能な付勢体であるガススプリング61の付勢力を利用して整地体４を上方側に付勢することによって、整地体４の持ち上げをアシストするものでもよい。
【００５９】
そして、この持上アシスト手段８は、ガススプリング61が整地体４を上方側に付勢するアシストオン状態（作用状態）およびガススプリング61が整地体４を上方側に付勢しないアシストオフ状態（非作用状態）に選択的に切換可能となっている。すなわち例えば、持上アシスト手段８は、着脱部材である着脱ピン62の取り付けによってアシストオフ状態となり、着脱ピン62の取り外しによってアシストオン状態となる。
【００６０】
また、この持上アシスト手段８は、着脱ピン62が着脱される孔部65を長手方向中間部に有する前後方向長手状の長尺体66を有している。この長尺体66は、前記長尺体36と同様、機体２に左右方向の軸37を中心として上下方向に回動可能に設けられている。つまり、機体２の左側のフレームパイプ部18には取付部33が突設され、この取付部33に長尺体66の前端部が軸37を介して回動可能に取り付けられている。
【００６１】
長尺体66は、互いに離間対向する１対の板状部材63と、複数、例えば２本の前後端側のカラー部材64と、これらカラー部材64を介して両板状部材63同士を固定する固定具であるボルト69およびナット70とにて構成されている。
【００６２】
長尺体66の前端部には軸用孔部68が形成され、この軸用孔部68と取付部33の孔部分とに軸37が挿入され、この挿入された軸37を中心として長尺体66が機体２に対して回動可能となっている。また、長尺体66の前後方向中間部である前後方向中央部にはピン用孔部である孔部65が形成され、この孔部65に対して着脱ピン62が着脱（挿入出）されるようになっている。
【００６３】
また、この持上アシスト手段８は、挿通孔部72を有する筒状の回動体（タンブラ）71を有している。この回動体71は、前記回動体41と同様、整地体４の突出板28の上部に回動可能に設けられている。そして、この回動体71は、挿通孔部72が形成された四角筒状の筒状部73と、この筒状部73の両側に外側方に向かって突設された左右方向の丸軸状の軸状部74とにて構成され、この各軸状部74が突出板28の取付孔部28aに回動可能に取り付けられている。
【００６４】
さらに、この持上アシスト手段８は、回動体71の挿通孔部72に挿通され長尺体66に対して移動可能（例えばスライド移動可能）な移動体76を有している。この移動体76は、前記移動体46と同様、長尺体66の外側にこの長尺体66の外面に沿って前後方向にスライド移動可能に配設されている。
【００６５】
移動体76は、長尺体66よりも短い長さの前後方向長手状で互いに離間対向する本体板部77を有している。両本体板部77の前端部同士が、着脱ピン62と当接するピン当接部である連結板部78にて連結固定され、この連結板部78の中央部に取付孔部79が形成されている。また、両本体板部77の後端部には、アシストオン状態時にガススプリング61の付勢力に基づいて回動体71を押し上げる板状の回動体当接部である突出板部80が突設されている。
【００６６】
そして、移動体76の本体板部77の外側には、回動体71がその本体板部77の外面に沿ってスライド移動可能に配設されている。つまり、回動体71は、アシストオフ状態時に整地体４の上下回動に応じて移動体76の本体板部77の外面に沿って前後方向にスライド移動する。
【００６７】
なお、このアシストオフ状態時には、ガススプリング61は、移動体76の両本体板部77と長尺体66の両板状部材63とからなる筒状部分81内に収納され、このガススプリング61の全体（略全体）がその筒状部分81によって覆われる。つまり、ガススプリング61は、持上アシスト手段８のアシストオフ状態時には長尺体66と移動体76とによって覆われる（図１３および図１４参照）。
【００６８】
また、長尺体66の両板状部材63間には、移動体76を前方側に向けて付勢する持上アシスト用のガススプリング61が圧縮された状態で配設されている。このガススプリング61は、窒素ガス等の高圧ガスが封入された本体部82と、この本体部82内に対して出入りするロッド部83とにて構成されている。そして、本体部82の基端部が長尺体66の後端側のカラー部材64に取り付けられ、かつ、ロッド部83の先端部が移動体76の連結板部78の取付孔部79に取付ピン84を介して取り付けられている。なお、この第２の実施の形態に係る農作業機１のその他の構成は、前記第１の実施の形態と同じである。
【００６９】
そして、この第２の実施の形態に係る農作業機１を用いて耕耘整地作業をする作業時には、作業者は、着脱ピン62を長尺体66の孔部65に取り付けることによって、持上アシスト手段８をアシストオフ状態に設定する。
【００７０】
その後、作業者がトラクタに乗り、トラクタの走行により農作業機１を進行方向に移動させると、耕耘体３が耕耘作業をし、その後方で整地体４が整地作業をする。
【００７１】
このとき、移動体76の連結板部78の前端部が着脱ピン62に当接することでこの着脱ピン62にて長尺体66に対する移動体76の前方移動が規制（つまりガススプリング61の伸びが規制）されているため、回動体71は、整地体４の上下回動に応じて、移動体76に対して前後方向にスライド移動する（図１３参照）。つまり、回動体71が角筒状の筒状部分81の外周面に沿って前後方向にスライド移動することによって、整地体４が機体２に対して軸５を中心として上下方向に回動する。
【００７２】
また一方、例えば耕耘爪24の交換や整地体４の洗浄等のメンテナンス時には、作業者は、着脱ピン62を長尺体66の孔部65から取り外すことによって、持上アシスト手段８をアシストオン状態に設定する。
【００７３】
すると、長尺体66に対する移動体76の前方移動が許容（つまりガススプリング61の伸びが許容）されることとなり、移動体76が突出板部80に当接した回動体71とともに長尺体66に対してガススプリング61の付勢力に基づいて前方へ移動し、その結果、整地体４がガススプリング61の付勢力に基づいて上方へ回動する（図１５参照）。
【００７４】
そして、作業者が整地体４を最上げ位置まで軽い人力で持ち上げると、ストッパ装置53によって整地体４がその最上げ位置に自動的にロックされる。なお、この例においても、整地体４は、ガススプリング61の付勢力のみによって最上げ位置まで上方回動しないため、作業者が最上げ位置まで人力で少し持ち上げる必要があるが、この際、ガススプリング61は、自由長（最大長さ）にはなっておらず、整地体４を上方側へ付勢しているため、作業者は、軽い人力で整地体４を最上げ位置まで持ち上げることが可能である。
【００７５】
このように、第２の実施の形態に係る農作業機１でも、前記第１の実施の形態と同様の作用効果を奏することができる。
【００７６】
また、農作業機１の持上アシスト手段８は、例えば図２４ないし図３３に示す第３の実施の形態のように、伸縮可能な付勢体であるガススプリング91の付勢力を利用して整地体４を上方側に付勢することによって、整地体４の持ち上げをアシストするものでもよい。
【００７７】
そして、この持上アシスト手段８は、操作部材である操作レバー90の操作（例えば位置変更である回動）により、ガススプリング91が整地体４を上方側に付勢するアシストオン状態およびガススプリング91が整地体４を上方側に付勢しないアシストオフ状態に選択的に切換可能となっている。
【００７８】
すなわち例えば、持上アシスト手段８は、操作レバー90の一方向への回動（例えば下方回動）によってアシストオフ状態（ロック状態）となり、操作レバー90の一方向とは反対方向である他方向への回動（例えば上方回動）によってアシストオン状態（ロック解除状態）となる。
【００７９】
ここで、持上アシスト手段８は、細長い円筒状に形成された前後方向長手状の長尺体（インナーパイプ）93を有している。
【００８０】
長尺体93は、機体２に左右方向の軸37を中心として上下方向に回動可能に設けられている。つまり、機体２の左側のフレームパイプ部18には取付部33が突設され、この取付部33に長尺体93の前端部が軸37を介して回動可能に取り付けられている。
【００８１】
長尺体93は、例えば１本の丸パイプのみからなるものであり、この長尺体93の前端部には軸用孔部94が形成され、この軸用孔部94と取付部33の孔部分とに軸37が挿入され、この挿入された軸37を中心として長尺体93が機体２に対して上下方向に回動可能となっている。また、長尺体93の前後方向中間部には、この長尺体93の長手方向に沿った長孔状の案内長孔部95が形成されている。さらに、長尺体93の後端部には、ピン用孔部96が形成されている。
【００８２】
そして、長尺体93内にガススプリング91が収納配設されており、その結果、このガススプリング91は、その全体が常に長尺体93によって覆われて保護されている。このガススプリング91は、窒素ガス等の高圧ガスが封入された本体部98と、この本体部98内に対して出入りするロッド部99とにて構成されている。
【００８３】
ガススプリング91の本体部98の基端部にはピン用孔部100が形成されており、このピン用孔部100および長尺体93のピン用孔部96に挿入された取付ピン101と抜止めピン102とによって、ガススプリング91の本体部98が長尺体93に取り付けられている。
【００８４】
また、持上アシスト手段８は、挿通孔部105を有する短筒状（例えば八角筒状）の回動体（タンブラ）106を有している。この回動体106は、整地体４の突出板28の上部における上方突出部分に回動可能に設けられている。
【００８５】
回動体106は、挿通孔部105が形成された八角筒状の筒状部107と、この筒状部107の左右両側に外側方に向かって突設された左右方向の丸軸状の軸状部108とにて構成され、この各軸状部108が突出板28の取付孔部28aに回動可能に取り付けられている。そして、回動体106は、整地体４に対して左右方向の軸状部108を中心として回動可能となっている。
【００８６】
さらに、持上アシスト手段８は、回動体106の挿通孔部105に挿通され長尺体93に対して移動可能（例えばスライド移動可能）な移動体（アウターパイプ）111を有している。この移動体111は、長尺体93の外側（外周側）にこの長尺体93の外周面に沿って前後方向（長尺体の長手方向）にスライド移動可能、つまり摺動可能に配設されている。
【００８７】
移動体111は、外周側に回動体106がスライド移動可能に配設された前後方向長手状で円筒状の筒状部112を有し、この筒状部112の前端部にはピン用孔部113が形成されている。そして、そのピン用孔部113、ロッド部99のピン用孔部114および長尺体93の案内長孔部95に挿入された取付ピン115と抜止めピン116とによって、ガススプリング91のロッド部99が移動体111に取り付けられている。このため、移動体111を上方側へ向けて付勢するガススプリング91の伸縮に応じて、移動体111が長尺体93の外周面に沿ってスライド移動する（図３１参照）。なおこのとき、取付ピン115が長尺体93の案内長孔部95にて案内される。
【００８８】
また、筒状部112の前後方向中間部の外周面には、持上アシスト手段８のアシストオン状態時にガススプリング91の付勢力に基づいて回動体106を押し上げる円形環状の回動体当接部である鍔部118が突出状に固設されている。さらに、筒状部112の後端側には、規制板取付部120およびレバー取付部121が固設されている。なお、規制板取付部120は、ねじ孔部122が形成された略Ｌ字状のＬ字板123にて構成されている。レバー取付部121は、互いに離間対向する対をなす対向板124にて構成されている。
【００８９】
そして、移動体111の規制板取付部120には、操作レバー90との当接によりこの操作レバー90の必要以上の回動を規制する規制部であるレバー規制板125が取付ねじ126にて取り付けられている。レバー規制板125には、取付孔部127および規制長孔部128が形成されている。
【００９０】
また、移動体111のレバー取付部121には、作業者が把持して手動操作する略Ｌ字状の操作レバー90がオフ位置（下位置）およびオン位置（上位置）に回動可能に取り付けられている。
【００９１】
つまり、レバー取付部121の対向板124の取付孔124aに操作レバー90が挿入され、この挿入された操作レバー90に抜止め用の止め輪130が装着され、かつその操作レバー90がレバー規制板125の規制長孔部128に挿通されている。こうして、操作レバー90は、移動体111に対して前後方向（略前後方向を含む）の中心線Ｘを中心としてオフ位置およびオン位置間で回動可能となっている（図３０参照）。
【００９２】
この操作レバー90は、Ｌ字状に曲がった丸棒からなるレバー本体131を有し、このレバー本体131の中間部にはねじ孔部132が形成されている。そして、ねじ孔部132には雄ねじであるピン133が螺着され、このピンには円筒状をなす樹脂製のカラー134が取り付けられている。
【００９３】
また一方、レバー規制板125には、操作レバー90をオフ位置およびオン位置のいずれかの位置に位置決めする弾性変形可能な板状の弾性部材である板バネ136が取付手段137にて脱着可能に取り付けられている。なお、取付手段137は、例えばボルト138、ナット139およびスペーサ140にて構成されており、レバー規制板125と板バネ136との間には隙間部135が存在している。
【００９４】
板バネ136は、例えば弾性変形する前の状態で矩形平板状をなすもので、この板バネ136の一端側には、ボルト138が挿通される取付孔部136aが形成されている。また、板バネ136のうち、レバー規制板125側とは反対側に位置する面には、操作レバー90のカラー134の外周面の一部である接触部134aが接触している。
【００９５】
このため、操作レバー90の回動時には、カラー134が中心線Ｘを中心とする仮想円弧に沿って移動し、このとき、そのカラー134の接触部134aが、板バネ136を押圧して曲げ弾性変形させながら、この板バネ136に沿ってスムーズにスライド移動する。
【００９６】
そして、操作レバー90がオフ位置やオン位置に位置すると、板バネ136は弾性復元力により元の平板状に復帰し、この復帰した板バネ136によって操作レバー90がその所望位置（オフ位置およびオン位置のいずれかの位置）に位置決め保持される。
【００９７】
また、図３０から明らかなように、操作レバー90がオフ位置に位置した状態では、操作レバー90の一部である当接部90aが長尺体93の後端面93aに対向してこの後端面93aと当接しており、その結果、移動体111の長尺体93に対する移動が規制されている。しかし、操作レバー90をオフ位置からオン位置まで上方側へ回動させると、操作レバー90の当接部90aが長尺体93の後端面93aから離れ、この操作レバー90による移動体111の移動規制が解除される。
【００９８】
なお、この図２４ないし図３３に示す第３の実施の形態に係る農作業機１のその他の構成は、前記第１の実施の形態と同じである。
【００９９】
そして、この第３の実施の形態に係る農作業機１を用いて耕耘整地作業をする作業時には、作業者は、操作レバー90を操作してオフ位置に位置させることによって、持上アシスト手段８をアシストオフ状態に設定する。
【０１００】
その後、作業者がトラクタに乗り、トラクタの走行により農作業機１を進行方向に移動させると、耕耘体３が耕耘作業をし、その後方で整地体４が整地作業をする。
【０１０１】
このとき、操作レバー90の当接部90aが長尺体93の後端面93aと当接することでこの操作レバー90にて長尺体93に対する移動体111の前方移動が規制（つまりガススプリング91の伸びが規制）されているため、回動体106は、整地体４の上下回動に応じて、移動体111に対して前後方向にスライド移動する（図２５参照）。つまり、回動体106が移動体111の筒状部112の外周面に沿って前後方向にスライド移動することによって、整地体４が機体２に対して軸５を中心として上下方向に回動する。
【０１０２】
また一方、例えば耕耘爪24の交換や整地体４の洗浄等のメンテナンス時には、作業者は、操作レバー90を操作してオン位置に位置させることによって、当接部90aを長尺体93の後端面93aから離して、持上アシスト手段８をアシストオン状態に設定する。
【０１０３】
すると、長尺体93に対する移動体111の前方移動が許容（つまりガススプリング91の伸びが許容）されることとなり、移動体111が鍔部118に当接した回動体106とともに長尺体93に対してガススプリング91の付勢力に基づいて前方へ移動し、その結果、整地体４がガススプリング91の付勢力に基づいて上方へ回動する（図２７参照）。
【０１０４】
そして、作業者が整地体４を最上げ位置まで軽い人力で持ち上げると、ストッパ装置53によって整地体４がその最上げ位置に自動的にロックされる。なお、この例においても、整地体４は、ガススプリング91の付勢力のみによって最上げ位置まで上方回動しないため、作業者が最上げ位置まで人力で少し持ち上げる必要があるが、この際、ガススプリング91は、自由長（最大長さ）にはなっておらず、整地体４を上方側へ付勢しているため、作業者は、軽い人力で整地体４を最上げ位置まで持ち上げることが可能である。
【０１０５】
このように、第３の実施の形態に係る農作業機１でも、前記第１、２の実施の形態と同様の作用効果を奏することができる。
【０１０６】
すなわち、例えばメンテナンス時等に操作レバー90の操作により持上アシスト手段８をアシストオン状態に切り換えると、このアシストオン状態の持上アシスト手段８が整地体４の持ち上げをアシストするため、作業者は整地体４を最上げ位置まで容易に持ち上げることができ、作業者の負担を軽減できる。
【０１０７】
また、操作レバー90のワンアクション操作、すなわち例えば回動のみによって、持上アシスト手段８のオンオフを容易に切り換えることができる。
【０１０８】
さらに、操作レバー90がオフ位置に位置した持上アシスト手段８のアシストオフ状態時には、操作レバー90にて長尺体93に対する移動体111の移動が規制され、この移動が規制された移動体111に対して回動体106が整地体４の動きに応じて移動するため、持上アシスト手段８が整地体４による整地作業に悪影響を及ぼすことがない。
【０１０９】
また、操作レバー90がオン位置に位置した持上アシスト手段８のアシストオン状態時には、長尺体93に対する移動体111の移動が許容され、この移動が許容された移動体111が長尺体93に対して回動体106とともにガススプリング91の付勢力に基づいて移動するため、そのガススプリング91の付勢力を利用して整地体４の持ち上げを適切にアシストできる。
【０１１０】
さらに、付勢体であるガススプリング91は、長尺体93内に収納配設され、その全体が常に長尺体93によって覆われているため、作業時に泥土等がガススプリング91に付着するのを防止できるとともに、異物等によって損傷することを防止できる。
【０１１１】
また、持上アシスト手段８は、操作レバー90を位置決めする板バネ136を有するため、操作レバー90をオフ位置およびオン位置のいずれかの位置に適切に位置決め保持でき、操作レバー90の不用意な回動を防止できる。
【０１１２】
なお、操作レバー（操作部材）90は、その当接部90aが長尺体93の後端面93aに対して接離するように移動体111に回動可能に設けられたものには限定されず、例えば移動体に対して移動可能なものや、移動体に対して脱着可能なもの等でもよい。
【０１１３】
また、前記いずれの実施の形態においても、持上アシスト手段８および接地圧調整手段９をそれぞれ１本ずつ備えた構成について説明したが、この構成には限定されず、その本数は任意である。
【０１１４】
例えば図３４に示すように、持上アシスト手段８および接地圧調整手段９をそれぞれ２本（複数）ずつ備えた構成でもよい。また、例えば１本の持上アシスト手段８と左右２本の接地圧調整手段９とを備えた構成等でもよい。
【０１１５】
また、持上アシスト手段８を配設する位置も任意であり、例えば農作業機１の左右方向中央側の位置に持上アシスト手段８を配設した構成等でもよい。
【０１１６】
さらに、例えば持上アシスト手段８の付勢体（圧縮バネ31やガススプリング61，91等）の付勢力のみによって整地体４が最上げ位置まで上方回動するようにしてもよい。
【０１１７】
また、農作業機１は、１本ものには限定されず、例えば３分割された折畳式農作業機でもよく、また、例えば第１整地板（均平板）および第２整地板（レーキ）等からなる整地体を備えるハロー等でもよい。
【０１１８】
なお、本発明のいくつかの実施の形態およびその変形例について説明したが、本発明の要旨を逸脱しない範囲で、前記各実施の形態および各変形例を適宜組み合わせることも可能である。
【符号の説明】
【０１１９】
１    農作業機
３    耕耘体
４    整地体
８    持上アシスト手段
31    付勢体である圧縮バネ
32，62    着脱部材である着脱ピン
35，65    孔部
36，66，93    長尺体
41，71，106   回動体
42，72，105   挿通孔部
46，76，111   移動体
61，91    付勢体であるガススプリング
90    操作部材である操作レバー
136   弾性部材である板バネ
【図１】
2020028309.tif 000003
【図２】
2020028309.tif 000004
【図３】
2020028309.tif 000005
【図４】
2020028309.tif 000006
【図５】
2020028309.tif 000007
【図６】
2020028309.tif 000008
【図７】
2020028309.tif 000009
【図８】
2020028309.tif 000010
【図９】
2020028309.tif 000011
【図１０】
2020028309.tif 000012
【図１１】
2020028309.tif 000013
【図１２】
2020028309.tif 000014
【図１３】
2020028309.tif 000015
【図１４】
2020028309.tif 000016
【図１５】
2020028309.tif 000017
【図１６】
2020028309.tif 000018
【図１７】
2020028309.tif 000019
【図１８】
2020028309.tif 000020
【図１９】
2020028309.tif 000021
【図２０】
2020028309.tif 000022
【図２１】
2020028309.tif 000023
【図２２】
2020028309.tif 000024
【図２３】
2020028309.tif 000025
【図２４】
2020028309.tif 000026
【図２５】
2020028309.tif 000027
【図２６】
2020028309.tif 000028
【図２７】
2020028309.tif 000029
【図２８】
2020028309.tif 000030
【図２９】
2020028309.tif 000031
【図３０】
2020028309.tif 000032
【図３１】
2020028309.tif 000033
【図３２】
2020028309.tif 000034
【図３３】
2020028309.tif 000035
【図３４】
2020028309.tif 000036